【手続補正書】
【提出日】平成29年5月8日(2017.5.8)
【手続補正１】
【補正対象書類名】明細書
【補正対象項目名】００７７
【補正方法】変更
【補正の内容】
【００７７】
本発明の太陽電池パネルを組み込んだディスプレイ装置は、屋外の電子掲示板などの様々な用途に適用可能であり、野外など、電源のない場所での屋外電子掲示板の使用を可能とするものである。本発明の実施態様の一部を以下の項目［１］−［３５］に記載する。
［１］
ディスプレイユニット上に組み込まれた太陽電池パネルであって、
赤色単位、緑色単位、及び青色単位を含む、ＲＧＢ色を有する光電材料層であって、
前記赤色単位、緑色単位、及び青色単位が前記ディスプレイユニットのピクセルアレイと一致して配列され、
かつ前記赤色単位、緑色単位、及び青色単位のうちの１つ又は２つが光電活性材料で形成されている、光電材料層、を有する、太陽電池パネル。
［２］
前記太陽電池パネルが前記ディスプレイユニットの表面上に組み込まれている、項目１に記載の太陽電池パネル。
［３］
前記赤色ユニットが光電活性材料で形成されている、項目１に記載の太陽電池パネル。
［４］
前記赤色単位が、Ｐ３ＨＴ：ＰＣ６１ＢＭ（ポリ（３−ヘキシルチオフェン）：ポリ（［６，６］−フェニル−Ｃ６１−酪酸メチルエステル））、Ｐ３ＨＴ：ＰＣ７０ＢＭ（ポリ（３−ヘキシルチオフェン）：ポリ（［６，６］−フェニル−Ｃ７１−酪酸メチルエステル））、及びＰＣＤＴＢＴ：ＰＣ６１ＢＭ（ポリ［［９−（１−オクチルノニル）−９Ｈ−カルバゾール−２，７−ジイル］−２，５−チオフェンジイル−２，１，３−ベンゾチアジアゾール−４，７−ジイル−２，５−チオフェンジイル］：ポリ（［６，６］−フェニル−Ｃ６１−酪酸メチルエステル））からなる群から選択される１つ以上の材料で形成されている、項目１に記載の太陽電池パネル。
［５］
前記光電材料層の両側にそれぞれ設けられた第１の透明基板層及び第２の透明基板層を更に有する、項目１に記載の太陽電池パネル。
［６］
前記第１及び第２の透明基板層が、ガラス、ＰＥＴ、ＰＥＮ、ＰＣ、ＰＳ、ＰＭＭＡ、ＰＥＴＧ、ＡＳ、ＢＳ、ＭＳ、ＭＢＳ、ＡＢＳ、ＰＰ、及びＰＡからなる群から選択される１種又は複数種である、項目５に記載の太陽電池パネル。
［７］
前記第１の透明基板層と前記光電材料層との間に設けられた透明電極層を更に有する、項目５に記載の太陽電池パネル。
［８］
前記透明電極層が、ＩＴＯ層、ＦＴＯ層、ＺｎＯ層、銀ナノワイアコーティング層、及びフラーレン薄膜からなる群から選択される１種又は複数種である、項目７に記載の太陽電池パネル。
［９］
前記第２の透明基板層と前記光電材料層との間に設けられた正孔輸送層を更に有する、項目５に記載の太陽電池パネル。
［１０］
前記正孔輸送層が、以下の材料、すなわち、ＰＥＤＯＴ：ＰＳＳ（ポリ３，４−エチレンジオキシチオフェン：ポリスチレンスルホナート）で形成されている、項目９に記載の太陽電池パネル。
［１１］
前記正孔輸送層と前記第２の透明基板層との間で、前記赤色単位、緑色単位、及び青色単位間の境界に一致する位置に設けられた金属グリッド層を更に有する、項目９に記載の太陽電池パネル。
［１２］
前記金属グリッド層が、銀、アルミニウム、銅、及びカルシウムからなる群から選択される１つ以上のものである、項目１１に記載の太陽電池パネル。
［１３］
反転型バルクヘテロ接合の構造を有する、項目１に記載の太陽電池パネル。
［１４］
黒色マトリクスを更に有する、項目５に記載の太陽電池パネル。
［１５］
前記黒色マトリクスが前記光電材料層内に設けられた、項目１４に記載の太陽電池パネル。
［１６］
前記黒色マトリクスが光電活性材料で形成されている、項目１５に記載の太陽電池パネル。
［１７］
前記黒色マトリクスが絶縁性接着剤でコーティングされた導電性材料で形成されている、項目１５に記載の太陽電池パネル。
［１８］
前記絶縁性接着剤が、アクリル系、エポキシ系、及びポリウレタン系接着剤からなる群から選択される、項目１７に記載の太陽電池パネル。
［１９］
前記導電性材料が導電性金属である、項目１７に記載の太陽電池パネル。
［２０］
前記太陽電池パネル内の前記太陽電池要素が、並列接続、直列接続、又はそれらの組み合わせで接続されている、項目１７に記載の太陽電池パネル。
［２１］
ディスプレイユニット上に組み込まれた太陽電池パネルであって、
赤色単位、緑色単位、及び青色単位を含むＲＧＢ色を有する光電材料層であって、
前記赤色単位、緑色単位、及び青色単位が前記ディスプレイユニットのピクセルアレイと一致して配列され、かつ前記赤色単位が光電活性材料で形成されている、光電材料層と、
前記光電材料層の両側にそれぞれ設けられた第１の透明基板層及び第２の透明基板層と、
前記第１の透明基板層と前記光電材料層との間に設けられた透明電極層と、
前記第２の透明基板層と前記光電材料層との間に設けられた正孔輸送層と、を有する、太陽電池パネル。
［２２］
前記正孔輸送層と前記第２の透明基板層との間で、前記赤色単位、緑色単位、及び青色単位間の境界に一致する位置に設けられた金属グリッド層を更に有する、項目２１に記載の太陽電池パネル。
［２３］
ディスプレイユニットと、項目１〜２２のいずれかに記載の太陽電池パネルとを有するディスプレイ装置。
［２４］
前記ディスプレイユニットが液晶ディスプレイユニット、電気泳動型ディスプレイユニット、干渉型変調方式（ＩＭＯＤ）ディスプレイユニット、電気浸透（electrical soakage）ディスプレイユニット、プラズマディスプレイユニット、ＬＥＤディスプレイユニット、ＯＬＥＤディスプレイユニット、又はＣＲＴディスプレイユニットである、請求項２３に記載のディスプレイ装置。
［２５］
前記液晶ディスプレイユニットが、透過型液晶ディスプレイユニット、半透過／半反射型液晶ディスプレイユニット、又は反射型液晶ディスプレイユニットを含む、項目２４に記載のディスプレイ装置。
［２６］
前記液晶ディスプレイユニットが、下部偏光板、下部ガラス層、下部電極層、液晶層、上部電極層、上部ガラス層、及び上部偏光板がこの順序で積層されて構成されたものである、項目２５に記載のディスプレイ装置。
［２７］
前記太陽電池パネルが、前記上部偏光板上、又は前記上部ガラス層と前記上部偏光板との間に設けられた、項目２６に記載のディスプレイ装置。
［２８］
前記ディスプレイユニット内に設けられた黒色マトリクスを有する、項目２３に記載のディスプレイ装置。
［２９］
項目２１に記載の太陽電池パネルを製造するための方法であって、
透明電極層を第１の透明基板上に形成する工程と、
赤色光電活性材料の層を前記透明電極層上に成膜する工程と、
次いで、前記青色単位及び緑色単位の位置における前記赤色光電活性材料層を除去し、対応する位置に青色及び緑色のレジスト材料を充填する工程と、
正孔輸送材料の層をコーティングする工程と、
最後に、透明絶縁性材料で第２の透明基板を形成する工程と、を含む方法。
［３０］
項目２２に記載の太陽電池パネルを製造するための方法であって、
透明電極層を第１の透明基板上に形成する工程と、
赤色光電活性材料の層を前記透明電極層上に成膜する工程と、
次いで、前記青色単位及び緑色単位の位置における前記赤色光電活性材料層を除去し、対応する位置に青色及び緑色のレジスト材料を充填する工程と、
正孔輸送材料の層をコーティングする工程と、
次いで金属グリッドの層を成膜する工程と、
最後に、透明絶縁性材料で第２の透明基板を形成する工程と、を含む方法。
［３１］
前記青色単位及び緑色単位の位置における前記赤色光電活性材料層を除去する工程が、マスクを介した露光により行われる、項目２９又は３０に記載の方法。
［３２］
前記透明電極層、赤色光電活性材料層、カラーレジスト材料、及び正孔輸送材料層が、真空蒸着プロセス又は湿式成膜プロセスによって成膜される、項目２９又は３０に記載の方法。
［３３］
前記湿式成膜プロセスが、スピンコーティング、スプレイコーティング、キャスティング、インクジェット印刷、スクリーン印刷、又はロール・ツー・ロールコーティングプロセスを含む、項目３２に記載の方法。
［３４］
項目１〜２２のいずれかに記載の太陽電池パネルを前記ディスプレイユニット上に取りつけることを含み、前記太陽電池パネルが前記第１の透明基板層又は第２の透明基板層の側において前記ディスプレイユニット上に取りつけられる、請求項２３のディスプレイ装置を製造するための方法。
［３５］
前記取り付けることが接着により行われる、項目３４に記載の方法。
【手続補正２】
【補正対象書類名】特許請求の範囲
【補正対象項目名】全文
【補正方法】変更
【補正の内容】
【特許請求の範囲】
【請求項１】
ディスプレイユニット上に組み込まれた太陽電池パネルであって、
赤色単位、緑色単位、及び青色単位を含む、ＲＧＢ色を有する光電材料層であって、
前記赤色単位、緑色単位、及び青色単位が前記ディスプレイユニットのピクセルアレイと一致して配列され、
かつ前記赤色単位、緑色単位、及び青色単位のうちの１つ又は２つが光電活性材料で形成されている、光電材料層、を有する、太陽電池パネル。
【請求項２】
ディスプレイユニット上に組み込まれた太陽電池パネルであって、
赤色単位、緑色単位、及び青色単位を含むＲＧＢ色を有する光電材料層であって、
前記赤色単位、緑色単位、及び青色単位が前記ディスプレイユニットのピクセルアレイと一致して配列され、かつ前記赤色単位が光電活性材料で形成されている、光電材料層と、
前記光電材料層の両側にそれぞれ設けられた第１の透明基板層及び第２の透明基板層と、
前記第１の透明基板層と前記光電材料層との間に設けられた透明電極層と、
前記第２の透明基板層と前記光電材料層との間に設けられた正孔輸送層と、を有する、太陽電池パネル。
【請求項３】
ディスプレイユニットと、請求項１又は２に記載の太陽電池パネルとを有するディスプレイ装置。
【請求項４】
請求項２に記載の太陽電池パネルを製造するための方法であって、
透明電極層を第１の透明基板上に形成する工程と、
赤色光電活性材料の層を前記透明電極層上に成膜する工程と、
次いで、前記青色単位及び緑色単位の位置における前記赤色光電活性材料層を除去し、対応する位置に青色及び緑色のレジスト材料を充填する工程と、
正孔輸送材料の層をコーティングする工程と、
最後に、透明絶縁性材料で第２の透明基板を形成する工程と、を含む方法。